(57)【要約】【課題】  パチンコ台等の遊技台において、出玉を不正に操作する不正行為を防止するための防犯装置を提供すること。【解決手段】  一方の側部に設けた蝶番により手前側に開くことができるように固定枠に取り付けられ、前記蝶番と反対側の側部にはロック装置が設けられた遊技台において、前記ロック装置が設けられている側部に隣接して防犯装置用のフレームを設け、該防犯装置用フレームに、前記ロック装置の鍵穴を覆蓋し、かつ遊技台が手前に開かないように押えるシャッターを着脱可能に取り付けた。【選択図】  図１
2006296965.tif 000002
【特許請求の範囲】
【請求項１】
一方の側部に設けた蝶番により手前側に開くことができるように固定枠に取り付けられ、前記蝶番と反対側の側部には開きを防止するロック装置が設けられた遊技台において、前記ロック装置が設けられている側部に隣接して防犯装置用のフレームを設け、該防犯装置用フレームに、前記ロック装置の鍵穴を覆蓋し、かつ遊技台が手前に開かないように押えるシャッターを着脱可能に取り付けたことを特徴とする遊技台の防犯装置。
【請求項２】
前記シャッターが、前記ロック装置用の鍵穴を覆蓋する蓋板と、該蓋板に対し直角な取り付け部とを有する断面Ｌ字状の屈曲形状に形成され、当該取り付け部を前記防犯用フレームに設けた挿入穴に挿入してシャッター用のロック装置で固定することにより、前記蓋板が遊技台の鍵穴を覆蓋した状態で固定されるように構成されている請求項１に記載の遊技台の防犯装置。
【請求項３】
防犯用フレームの挿入穴に対するシャッターの取り付け部の挿入深さが調節可能であり、各調節された位置で固定可能に構成されている請求項２に記載の遊技台の防犯装置。
【発明の詳細な説明】
【技術分野】
【０００１】
本発明は、パチンコ台等の遊技台において、出玉を不正に操作する不正行為を防止するための防犯装置に関するものである。
【背景技術】
【０００２】
パチンコ店等の遊技場では、閉店後に店内に侵入して遊技台の制御装置のロムを不正なものと交換したり、営業中に数人で遊技台を取り囲んで短時間でロムを交換したりして、出玉を不正に操作する行為が頻発している。このような不正行為によって、遊技場は多大の損害を被っているが、制御装置自体の構成によってこのような不正行為を防止するのはきわめて難しく、あいかわらず不正行為が横行しているのが現状である。
【０００３】
パチンコ台は、上下の梁に固定された角型の枠に嵌め込んだ状態で、一方の側（多くは左側）に設けた縦方向の蝶番によって回動可能に取り付けられており、必要に応じて通路側から手前に開くことができるようになっている。そして、蝶番と反対側にはロック装置が設けられ、関係者以外の者が開くことができないように保護されている。
【０００４】
しかしながら、パチンコ台のロック装置用の鍵穴は、当該遊技台の前面に開口していて、不正行為をする者（いわゆる「ゴト師」）が、合鍵や特殊な器具を用いて開くことにより、不正行為を比較的簡単に行うことができるという問題点がある。
【０００５】
一方、例えば自動販売機の防犯装置としては、プルロックと呼ばれる防犯装置が広く使用されている。この装置は、自動販売機の外周部をチェーンや金具で固定するもので、この装置が取り付けられていると、自動販売機を開くのに時間がかかることが一見してわかることから、不正行為に対する抑止力が働くからか、一応の不正防止効果をあげていると言われている。これに類する防犯装置として、パチンコ台の前面を横断するように線状部材を張設し、施錠するものが提案されている（特許文献１）。しかしながら、稼働中の遊技台の場合は、美観上、台自体の外周部にチェーンやワイヤー等を巻き付けるわけには行かないので、他の防犯装置に対する要望が強い。なお、他のパチンコ台等の防犯装置としては、下記特許文献２に示すようなものが提案されている。
【０００６】
【特許文献１】特開平９−３２２９７３号公報
【特許文献２】特開２０００−３２５６２４号公報
【０００７】
上記特許文献２に記載のものは、パチンコ台等の遊技機の前面に、進出時には該遊技機の前方への開きを阻止し、後退時には前方への開きを許容する開閉部材（ストッパ）を設けたものである。この装置は、遊技機自体のロック装置の他に、物理的に開きを阻止するストッパを設けたものであるから、遊技機の内部を露出させるためには、遊技機自体のロック装置の他にこのストッパの機能を除去する必要があり、遊技機を開くための手間が増えるので、不正行為に対する意欲がそがれ、被害を低減することができると思われる。
【発明の開示】
【発明が解決しようとする課題】
【０００８】
しかしながら、上記特許文献２に記載のものは、パチンコ機自体のロック装置の他に、別途ストッパを設ける（図示例ではパチンコ機の上部に設けられている）ものであるから、パチンコ機の鍵穴と、このストッパの二つがパチンコ機の表面に設けられることになり、目障りで美観が損なわれるという問題点がある。
【０００９】
そこで、本発明は、簡単な構造ながら、優れた防犯効果が得られ、比較的安価で、しかもそれほど美観を損なわない遊技台の防犯装置を提供することを課題としている。
【課題を解決するための手段】
【００１０】
上記課題を解決するため、本発明は次のような構成を採用した。すなわち、請求項１に記載の遊技台の防犯装置は、一方の側部に設けた蝶番により手前側に開くことができるように固定枠に取り付けられ、前記蝶番と反対側の側部には開きを防止するロック装置が設けられた遊技台において、前記ロック装置が設けられている側の遊技台側部に隣接して防犯装置用のフレームを設け、該防犯装置用フレームに、前記ロック装置の鍵穴を覆蓋し、かつ遊技台が手前に開かないように押えるシャッターを着脱可能に取り付けたことを特徴としている。
【００１１】
また、請求項２に記載の発明は、前記請求項１に記載の防犯装置において、前記シャッターが、前記ロック装置用の鍵穴を覆蓋する蓋板と、該蓋板に対し直角な取り付け部とを有する断面Ｌ字状の屈曲形状に形成され、当該取り付け部を前記防犯用フレームに設けた挿入穴に挿入してシャッター用のロック装置で固定することにより、前記蓋板が遊技台の鍵穴を覆蓋した状態で固定されるように構成されている。さらに、請求項３に記載の発明は、請求項２に記載の防犯装置において、防犯用フレームの挿入穴に対するシャッターの取り付け部の挿入深さが調節可能であり、各調節された位置で固定可能に構成されているものである。
【発明の効果】
【００１２】
請求項１に記載の本発明は、遊技台に付いている本来のロック装置の他に、当該ロック装置の鍵穴を覆蓋し、かつ遊技台の前扉を押えて開かなくするシャッターが設けられているので、遊技台を開けるためには、このシャッターを外して、さらに遊技台自体の鍵を開けるという二重の操作が必要となり、よけいな手間と時間がかかるので、不正操作が困難となる。また、シャッターが、遊技台自体のロック装置の鍵穴を塞ぐ機能と、遊技台自体を押える機能をあわせ持つものであるから、構造的にシンプルで、必要なスペースも少なくてすむ。しかも、遊技台自体の鍵穴が蓋板で隠されるので、この点でも美観上好ましいものである。蓋板の表面には、美的な色彩や模様等の意匠を施すことができる。
【００１３】
また、請求項２に記載の防犯装置は、シャッターが断面Ｌ字型で、取り付け部を遊技台の側部に設けた防犯用のフレームの挿入穴に挿入して固定することにより、該取り付け部と直角な蓋板で遊技台の鍵穴を塞ぐとともに、該遊技台の前面部が開かないように押えることができるので、構造的に簡単で堅牢なものとすることができる。さらに、請求項３に記載の発明によれば、上記シャッターの挿入穴に対する挿入深さを調節して固定することができるので、ロック装置から前面までの距離（出面）が異なる種々の遊技台に適応させることができる。
【発明を実施するための最良の形態】
【００１４】
以下、図面に表された本発明の実施形態について説明する。この防犯装置１は、パチンコ台用の防犯装置で、シャッター２と該シャッター２が取り付けられる防犯用フレーム３からなる。
【００１５】
パチンコ台５は、角型の枠６に嵌め込んだ状態で固定されもので、一方の側部（図の左側）は縦向きの蝶番７を介して枠６に水平面内で回動自在に取り付けられていて、反対側の側部（図の右側）には、本体を開かないように固定するためのロック装置（図示を省略）が設けられている。ロック装置は、従来公知のものであり、パチンコ台５の側部に設けたフック状の金具がバネに付勢されて枠６に設けた突起に係合するようになっている。パチンコ台５に付設の鍵穴８に専用の鍵を挿入して所定方向に回すと、前記フック状の金具と突起との係合が外れ、パチンコ台５が回動可能となる。パチンコ台５は、このロック装置によって、角型の枠６に嵌め込んだ状態で固定することができ、必要に応じて専用の鍵で開くことができる。
【００１６】
図示例のパチンコ台５は、玉の移動面を覆うガラス板５０が設けられていて、このガラス板５０も蝶番５１を中心として回動させることができ、このガラス板５０だけを開くことも可能となっている。ガラス板５０も前記と同様なフック金具（ガラス板側）と突起（パチンコ台本体側）とで構成されるロック装置（図示を省略）によって閉じた状態でパチンコ台本体に固定されるようになっており、前記パチンコ台５の鍵穴８に挿入した鍵を前記と反対方向に回すと、このガラス板用ロック装置を解除できるようになっている。図中の５２はゲーム用のハンドル、５３，５４は上下の受け皿である。
【００１７】
防犯用フレーム３は、遊技台の１種であるパチンコ台５の側部に設けられた縦フレームであり、図示例では、当該パチンコ台５の右隣に設けられている隣のパチンコ台用の玉貸機９と当該パチンコ台との間に設けられ、パチンコ台５、玉貸機９と共に上下の梁Ｆ，Ｆに固定されている。防犯フレーム３には、シャッター２の取り付け部を挿入するための上下に長いスリット状の挿入穴１０と鍵穴１１が設けられている。
【００１８】
シャッター２は、蓋板１２と該蓋板１２と直角な取り付け部１３とで断面Ｌ型の金具として形成されている。取り付け部１３の先端部は、両縁部が鋸歯状に形成されている。この鋸歯状のギザギザ部分１４は、その凹部１４ａに防犯用フレーム３の裏側に設けられているロック装置１５が係合してシャッター２の抜け出しを防止するもので、ギザギザの数だけ複数段の位置でロックすることができる。
【００１９】
図４はこのロック装置を表すもので、このロック装置１５は、防犯用フレーム３に設けられた挿入穴１０の下側に設けた鍵穴１１の奥にシリンダ錠部分３１が設けられ、その軸にカム３２が取り付けられている。一方、前記挿入穴１０の奥側には、軸３３によって回動自在に支持された作動アーム３５と、上下一対の係合部材３６，３７が設けられている。係合部材３６，３７は、その基部にアーム３６ａ，３７ａが一体に設けられるとともに、軸３３，３８によって上下に回動自在に支持されている。また、係合部材３６，３７のアーム３６ａ，３７ａの端部は、軸３９によって前記作動アーム３５に枢着されている。
【００２０】
なお、この作動アーム３５は、コイルバネ４０によって防犯用フレーム３の前面側に付勢されており、前記係合部材３６，３７の先端部はバネ４１によって互いに接近する方向に付勢されている。コイルバネ４１の付勢力はコイルバネ４０の付勢力よりも大きく、一対の係合部材３６，３７は、常時互いに接近する方向に付勢されている。これら係合部材３６，３７の先端部には、挿入されるシャッター２の取り付け部１３に設けられている凹部１４ａに係合する鋸歯状の係合突起３６ｂ，３７ｂが設けられている。これら係合突起３６ｂ，３７ｂは、先端側が傾斜面３６ｃ，３７ｃとなっており、取り付け部１３を挿入穴に挿入するときは、凹部１４ａの傾斜面１４ｃに接触して、ラチェット機構式に摺動するが、逆方向には係合が外れないようになっている。
【００２１】
前記作動アーム３５は、前記シリンダ錠部３１の回転軸に設けたカム３２によって、軸３３を中心に前後に揺動するようになっており、鍵穴１１に挿入した鍵を所定方向に回すと、当該カム３２によって作動アーム３５が図の反時計周りに所定角度回転し、係合部材のアーム３６ａ，３７ａを移動させる。このため、図の想像線で示すように係合部材３６，３７が開いてシャッターの凹部１４ａから外れ、シャッターを抜き取ることができるようになる。鍵を元の位置まで戻すと、作動アーム３５が復帰し、係合部材３６，３７の先端部が凹部１４ａに係合する方向に回動する。
【００２２】
図示例では、複数段の凹部１４ａが設けられているので、複数の位置で固定可能である。したがって、シャッター用のロック装置１５の係合部材３６，３７の位置から蓋板１２までの距離、すなわち固定のための取り付け部１２の挿入深さを適宜調節することができ、枠６からパチンコ台５前面までの距離、いわゆる出面が異なる異種の台に対しても、使用することができるのである。
【００２３】
なお、以上の説明では、防犯用ロック装置が、鋸歯状のギザギザ部１４と鋸歯状の係合突起を有する係合部材との係合によりシャッター２をロックするようになっているが、パチンコ台５本体の鍵穴を隠し、かつパチンコ台が開方向に回転しないように押えるシャッターを開閉自在に設けることができるものなら、他の機構を採用することができる。例えば、鍵穴を隠し、パチンコ台本体を押える蓋板を、水平軸周りに回転させてパチンコ台前面から外すような構造でもよい。
【００２４】
パチンコ台５は、常時は本体が枠６にロック装置で固定されており、防犯装置１のシャッター２が防犯用フレーム３に取り付けられ、その蓋板１２が鍵穴８を塞いだ状態となっている。このため、パチンコ台５の本体を開く場合は、防犯装置用の鍵穴１１に鍵を差し込んで上下の係合部材３６，３７をそれぞれの側の凹部１４ａから外し、防犯用のシャッター２を防犯用フレーム３から抜き取る。すると、パチンコ台５の鍵穴８が露出するので、専用の鍵でロック装置を解除する。これにより、パチンコ台５が回転可能となるので、これを手前側に回転させて、その裏側に設けられている制御装置を通路側へ露出させることができる。
【００２５】
この防犯装置１は、パチンコ台５に設けられている鍵穴を塞ぐと同時に、パチンコ台５が回転しないように押える蓋板１２を備えているので、簡単な構造ながら、パチンコ台を二重に保護することになり、不正行為を効果的に防止することができる。また、シャッター２が、パチンコ台５の前面を押える機能とパチンコ台の鍵穴を隠す機能を併せ持つので、目障りにならず、しかも構造的にコンパクトなものとすることができる。
【産業上の利用可能性】
【００２６】
本発明に係る遊技機の防犯装置は、工業生産的に製造することが可能で、パチンコ店等の遊技場において、遊技機の制御方法を記録したＲＯＭを交換する等の不正行為の防止に効果的に使用することができるものである。なお、以上の説明では、遊技機としてパチンコ台を例にとって説明したが、スロット機や、他の遊技機にも適用できる。
【図面の簡単な説明】
【００２７】
【図１】防犯装置の正面図であり、（ａ）はシャッターを外した状態、（ｂ）はシャッターを取り付けた状態を表す。
【図２】パチンコ台を若干開いた状態を表す正面図である。
【図３】シャッターの外観図である。
【図４】シャッター用ロック装置の説明図である。
【符号の説明】
【００２８】
１        防犯装置
２        シャッター
３        防犯用フレーム
５        パチンコ台
６        枠
８        鍵穴
９        玉貸機
１０        挿入穴
１１        防犯装置用鍵穴
１２        蓋板
１３        取り付け部
１５        防犯装置用ロック装置
【図１】
2006296965.tif 000003
【図２】
2006296965.tif 000004
【図３】
2006296965.tif 000005
【図４】
2006296965.tif 000006